(57)【要約】【課題】表示部を載置面に対して垂直に保持することが可能であるとともに、ユーザが容易に持ち運ぶことが可能な薄型表示装置を提供する。【解決手段】この薄型液晶テレビジョン（薄型表示装置）１は、映像を表示するとともに、薄型に形成された表示部２と、表示部２の背面に回動可能に取り付けられ、表示部２の下面を載置面に接触させることなく表示部２を支持するとともに、表示部２に対して回動させた際に、表示部２の上方側に突出することにより表示部２の把持部３ｇになるように構成されたスタンド部材３とを備える。【選択図】図１
2009002989.tif 000002
【特許請求の範囲】
【請求項１】
映像を表示するとともに、薄型に形成された表示部と、
前記表示部の背面に回動可能に取り付けられ、前記表示部の下面を載置面に接触させることなく前記表示部を支持するとともに、前記表示部に対して回動させた際に、前記表示部の上方側に突出することにより前記表示部の把持部になるように構成されたスタンド部材とを備えた、薄型表示装置。
【請求項２】
前記スタンド部材は、前記表示部を支持するスタンド部と、前記表示部と前記スタンド部とを連結する連結部とを含み、
前記連結部は、一方端部側が前記表示部に回動可能に取り付けられているとともに、他方端部側が前記スタンド部に回動可能に取り付けられ、
前記スタンド部材は、前記連結部により連結された前記表示部を前記スタンド部により支持する第１形状と、前記スタンド部と前記連結部とが同一平面状になるとともに前記表示部の背面に沿って配置される第２形状とに変形可能に構成されている、請求項１に記載の薄型表示装置。
【請求項３】
前記表示部は、背面側に第１係合部を含み、
前記連結部は、前記表示部の第１係合部に対応する第２係合部を含み、
前記スタンド部材は、前記第２形状により前記表示部の背面に沿うように配置された際に、前記表示部の第１係合部と前記連結部の第２係合部とが係合することにより前記表示部の背面に固定されるように構成されている、請求項２に記載の薄型表示装置。
【請求項４】
前記スタンド部は、平面的にみて、環状に形成されている、請求項２または３に記載の薄型表示装置。
【請求項５】
前記スタンド部は、平面的にみて、前記表示部の前面側および後面側から突出するように構成されている、請求項２〜４のいずれか１項に記載の薄型表示装置。
【発明の詳細な説明】
【技術分野】
【０００１】
この発明は、薄型表示装置に関し、特に、表示部を支持するスタンド部材を備えた薄型表示装置に関する。
【背景技術】
【０００２】
従来、表示部を支持するスタンド部材を備えた薄型表示装置が知られている。（たとえば、特許文献１〜４参照）。
【０００３】
上記特許文献１には、表示部と、表示部を支持するためのスタンドとを備えた薄型表示装置が開示されている。この特許文献１に記載の薄型表示装置では、スタンドの一方端部が表示部の背面の中央部分に取り付けられているとともに、表示部がスタンドの一方端部側にもたれるようにして傾斜した状態で支持される。そして、装置本体は、載置面に対して表示部の底面とスタンドの他方端部とにより保持されるように構成されている。
【０００４】
また、上記特許文献２には、小型液晶テレビのハンドル兼用スタンドが開示されている。この特許文献２に記載の小型液晶テレビのハンドル兼用スタンドでは、Ｕ字形状に形成されたハンドルの両端部がそれぞれ小型液晶テレビの両側面に取り付けられている。そして、小型液晶テレビの装置本体は、小型液晶テレビの底面を載置させることにより水平に保持されるように構成されているとともに、小型液晶テレビを傾斜させる際には、小型液晶テレビがハンドルにもたれるようにして傾斜した状態で支持されるように構成されている。
【０００５】
また、上記特許文献３には、背面側にケーブル接続用端子部の蓋部材としてのケーブルカバーを含むキャビネットと、薄型に形成されるとともにキャビネットに収納される表示部とを備えた薄型映像機器が開示されている。この特許文献３に記載の薄型映像機器では、ケーブルカバーの一方側面側にヒンジ部が設けられているとともに、他方側面側に孔を有するグリップ部が設けられており、ケーブルカバーのグリップ部は、ケーブルカバーを開いた状態にした際には装置本体の把持部として使用可能に構成されている。また、ケーブルカバーは、ケーブルカバーを開いた際に表示部の上下左右方向のいずれにも突出しない程度の大きさに構成されている。
【０００６】
また、上記特許文献４には、テレビ本体と、テレビ本体の把持部としてのハンドルとを備えたポータブルテレビが開示されている。この特許文献４に記載のポータブルテレビでは、テレビ本体の把持部としてのハンドルにスピーカが内蔵されているとともに、テレビ本体は、テレビ本体の底面全体により載置されるように構成されている。
【０００７】
【特許文献１】特開２００６−３０１２１１号公報
【特許文献２】実開平４−４４７７８号公報
【特許文献３】特開２００４−３３６４３３号公報
【特許文献４】実開昭６３−１５３６７５号公報
【発明の開示】
【発明が解決しようとする課題】
【０００８】
しかしながら、上記特許文献１に記載の薄型表示装置では、表示部がスタンドにもたれるようにして傾斜するように支持される構成であるので、表示部を保持する際には、表示部が常に所定の角度傾斜した状態でなければ保持することができない。したがって、表示部を載置面に対して垂直に保持することができないという問題点がある。
【０００９】
また、上記特許文献２に記載の小型液晶テレビのハンドル兼用スタンドでは、小型液晶テレビ（表示部）は、小型液晶テレビの底面を載置させることにより水平に載置する構成であるので、この構成では、表示部を薄型に形成した場合に、載置面に対して垂直に配置する際に薄型の表示部の底面のみで保持することができないという不都合がある。したがって、上記の構成では、薄型の表示部において、表示部を載置面に対して垂直に保持することができないという問題点がある。
【００１０】
また、上記特許文献３に記載の薄型映像機器では、ケーブルカバーが表示部に対して突出するような構造ではないので、持ち運びの際にユーザが持ちにくいという問題点がある。
【００１１】
また、上記特許文献４に記載のポータブルテレビでは、底面全体によりテレビ本体を支持するような構造であり、薄型に形成された表示部の角度を調整する構造については開示も示唆もされていないので、本発明と前提とする構造が異なる。したがって、上記特許文献４に記載のポータブルテレビには、表示部をユーザの所望の角度に調整することが困難であるという本発明が解決しようとする課題（問題点）すら存在しないとともに、その課題を解決するための手段の動機付けとなる記載も見当たらない。
【００１２】
この発明は、上記のような課題を解決するためになされたものであり、この発明の１つの目的は、表示部を載置面に対して垂直に保持することが可能であるとともに、ユーザが容易に持ち運ぶことが可能な薄型表示装置を提供することである。
【課題を解決するための手段および発明の効果】
【００１３】
この発明の一の局面による薄型表示装置は、映像を表示するとともに、薄型に形成された表示部と、表示部の背面に回動可能に取り付けられ、表示部の下面を載置面に接触させることなく表示部を支持するとともに、表示部に対して回動させた際に、表示部の上方側に突出することにより表示部の把持部になるように構成されたスタンド部材とを備える。
【００１４】
この一の局面による薄型表示装置では、上記のように、スタンド部材を、表示部の下面を載置させることなく表示部を回動可能に支持するように構成することによって、スタンド部材により、表示部の下面を載置させることなく表示部の全体を支持することができるので、表示部を載置面に対して垂直に保持することができる。また、スタンド部材を、回動させた際に表示部の上方側に突出された部分が把持部になるように構成することによって、ユーザは、把持部を持つことにより薄型表示装置を持ち運ぶことができるとともに、表示部の上方側に突出した部分を把持部とするので、ユーザは、持ち運び時に容易に把持部を把持した状態で持ち運ぶことができる。また、表示部の上方側に突出された把持部を、たとえば壁に設けられたフック部材などの突起形状の部材に係合することにより、ユーザは、薄型表示装置を壁に掛けた状態で使用することができる。
【００１５】
上記一の局面における薄型表示装置において、好ましくは、スタンド部材は、表示部を支持するスタンド部と、表示部とスタンド部とを連結する連結部とを含み、連結部は、一方端部側が表示部に回動可能に取り付けられているとともに、他方端部側がスタンド部に回動可能に取り付けられ、スタンド部材は、連結部により連結された表示部をスタンド部により支持する第１形状と、スタンド部と連結部とが同一平面状になるとともに表示部の背面に沿って配置される第２形状とに変形可能に構成される。このように構成すれば、表示部およびスタンド部は、それぞれ、連結部に回動可能に取り付けられているので、表示部に対して連結部を介してスタンド部を回動することにより、薄型表示装置を、容易に第１形状または第２形状に変形することができる。
【００１６】
上記一の局面における薄型表示装置において、好ましくは、表示部は、背面側に第１係合部を含み、連結部は、表示部の第１係合部に対応する第２係合部を含み、スタンド部材は、第２形状により表示部の背面に沿うように配置された際に、表示部の第１係合部と連結部の第２係合部とが係合することにより表示部の背面に固定されるように構成される。このように構成すれば、第１係合部と第２係合部とを係合させることにより、スタンド部材を把持部として用いる際に、スタンド部材を表示部の背面に容易に固定することができるので、把持部を把持して持ち運ぶ際に表示部に対する把持部の位置が変動するのを抑制することができる。これにより、薄型表示装置をより持ち運びやすくすることができる。
【００１７】
上記一の局面における薄型表示装置において、好ましくは、スタンド部は、平面的にみて、環状に形成される。このように構成すれば、薄型表示装置を第２形状に変形させた際に、表示部の上方側に突出したスタンド部の環状の一部が把持部として機能するので、薄型表示装置をより容易に持ち運ぶことができる。
【００１８】
上記一の局面における薄型表示装置において、好ましくは、スタンド部は、平面的にみて、表示部の前面側および後面側から突出するように構成される。このように構成すれば、スタンド部は、表示部の前面側および後面側のいずれの面からも突出するような大きさに構成されているので、表示部を安定して支持することができる。
【発明を実施するための最良の形態】
【００１９】
以下、本発明を具体化した実施形態を図面に基づいて説明する。
【００２０】
図１および図２は、本発明の一実施形態による薄型液晶テレビジョンの全体構成を示した斜視図である。図３および図４は、本発明の一実施形態による薄型液晶テレビジョンの正面図である。図５〜図１３は、本発明の一実施形態による薄型液晶テレビジョンの構造を説明するための図である。まず、図１〜図１３を参照して本発明の一実施形態による薄型液晶テレビジョン１の構造について説明する。なお、本実施形態では、薄型表示装置の一例である薄型液晶テレビジョンに本発明を適用した場合について説明する。
【００２１】
本発明の一実施形態による薄型液晶テレビジョン１は、図１〜図４に示すように、映像を出力する表示部２と、表示部２を支持するスタンド部材３とを備えている。また、表示部２は、図１および図３に示すように、ＬＣＤ（Ｌｉｑｕｉｄ  Ｃｒｙｓｔａｌ  Ｄｉｓｐｌａｙ）からなるモニタ２ａを前面側に備えるとともに、一方の側面に、テレビジョン放送などのチャンネルを選択する選択ボタンおよび薄型液晶テレビジョン１の電源ボタンなどからなるボタン部２ｂを備えている。また、表示部２は、図２および図４に示すように、背面側に、複数の放熱孔２ｃが形成されているとともに、ＤＶＤプレーヤなどの外部機器と接続するための複数の端子２ｅを含む外部入力基板２ｄを備えている。
【００２２】
ここで、本実施形態では、図１および図２に示すように、スタンド部材３は、表示部２を支持するスタンド部３ａと、表示部２とスタンド部３ａとを連結する連結部３ｂとから構成されている。また、スタンド部材３は、図４および図５に示すように、表示部２の背面に回動可能に取り付けられているとともに、表示部２の下面を載置面に接触させることなく表示部２を支持している。具体的には、連結部３ｂの一方端部側の両側面に、それぞれ、凸状の第１回動軸部３ｃが形成されているとともに、表示部２の背面に第１回動軸部３ｃに対応する２つの軸受部材２ｆが設けられている。そして、スタンド部材３は、表示部２の背面の軸受部材２ｆに連結部３ｂの第１回動軸部３ｃを嵌合することにより表示部２の全体を支持するように構成されている。また、スタンド部材３の連結部３ｂは、表示部２の軸受部材２ｆに嵌合された回動軸部３ｃを支点として、表示部２に対して図５の矢印Ｘ１方向および矢印Ｘ２方向に約１８０度回動可能なように構成されている。
【００２３】
また、本実施形態では、図６および図７に示すように、スタンド部３ａは、平面的にみて、表示部２の前面側および後面側から突出するように構成されている。また、スタンド部３ａは、平面的にみて、環状に形成されているとともに楕円形状に形成されており、楕円形状の短軸上（図６の線分ＡＡ上）に位置する一方部分には、連結部３ｂの他方端部側が配置可能な大きさの凹部３ｅが形成されている。また、図４〜図６に示すように、連結部３ｂの他方端部側の両側面には、それぞれ、凸状の第２回動軸部３ｄが形成されており、連結部３ｂがスタンド部３ａの凹部３ｅに配置された際に、連結部３ｂの第２回動軸部３ｄと、凹部３ｅの内側面に形成された軸受部３ｆとが嵌合することにより、スタンド部３ａと連結部３ｂの他方端部とが回動可能なように連結される。また、連結部３ｂに連結されたスタンド部３ａは、連結部３ｂの第２回動軸部３ｄを支点として、図５の矢印Ｙ１方向および矢印Ｙ２方向に約９０度回動可能なように構成されている。
【００２４】
また、図６に示すように、スタンド部３ａの下面には、滑り止めとして、複数（本実施形態では５個）の円形のゴム部材４が設けられている。
【００２５】
ここで、本実施形態では、スタンド部材３は、図１〜図４に示すように、連結部３ｂにより連結された表示部２をスタンド部３ａによって支持する第１形状と、図８〜図１１に示すように、スタンド部３ａと連結部３ｂとが同一平面状になるとともに、表示部２の背面に沿って配置される第２形状とに変形可能なように構成されている。また、スタンド部材３は、第２形状（図８〜図１１の形状）時において、表示部２の上方側にスタンド部３ａの一部が突出することにより、表示部２の把持部３ｇになるように構成されている。また、図１２に示すように、第２形状（図８の形状）時における薄型液晶テレビジョン１の幅Ｗ１の大きさは、第１形状（図１の形状）時における幅Ｗ２の大きさよりも小さくなるように構成されている。これにより、装置本体を第２形状に変形することにより容易に梱包することが可能なように構成されている。なお、スタンド部材３における第１形状から第２形状への変形動作の説明は後に詳細に説明する。
【００２６】
また、本実施形態では、図２に示すように、表示部２には、背面側から水平方向に突出するフック部２ｇが形成されているとともに、連結部３ｂには、表示部２のフック部２ｇに係合する凹部３ｈが形成されている。そして、スタンド部材３は、第２形状（図８〜図１１）により表示部２の背面に沿うように配置された際に、図１１に示すように、表示部２のフック部２ｇと連結部３ｂの凹部３ｈとが係合することにより表示部２の背面に固定されるように構成されている。また、図１３に示すように、表示部２に形成されたフック部２ｇの先端部２ｈは、フック部２ｇの下側面と凹部３ｈに対向する面とが鋭角になるように傾斜形状に形成されているとともに、先端部２ｈの上面側には、係合爪部２ｉが形成されている。また、連結部３ｂに形成された凹部３ｈには、フック部２ｇの係合爪部２ｉが抜けるのを抑制するための突起状の抜止部３ｉが設けられており、係合爪部２ｉと抜止部３ｉとが係合することによりスタンド部材３は表示部２に固定される。また、フック部２ｇは、下方向（図１３の矢印Ｚ方向）に撓み変形可能なように構成されている。また、抜止部３ｉは、係合爪部２ｉに対向する面が下方向に向かって抜止部３ｉの厚みが小さくなるように傾斜状に形成されている。これにより、スタンド部材３の表示部２に対する固定を解除するためにフック部２ｇを下方向（矢印Ｚ方向）に撓ませた際に、フック部２ｇの係合爪部２ｉが抜止部３ｉの傾斜面に沿ってスライド移動することが可能なように構成されている。
【００２７】
図１４および図１５は、本発明の一実施形態による薄型液晶テレビジョンにおける上記した第１形状から第２形状への変形動作を説明するための図である。次に、図１、図５、図８、図１１および図１３〜図１５を参照して、本発明の一実施形態による薄型液晶テレビジョン１の変形動作について説明する。
【００２８】
まず、図５に示すように、表示部２がスタンド部材３により支持されている第１形状の状態において、スタンド部材３を表示部２に対して図中の矢印Ｘ１方向に回動することにより、薄型液晶テレビジョン１は、図１４に示すような状態に変形される。そして、図１４に示す状態から、スタンド部３ａを図中のＹ１方向に回動することにより、薄型液晶テレビジョン１は、図１５に示す状態に変形される。この際、スタンド部３ａおよび連結部３ｂは、同一平面状の状態になる。そして、図１５に示す状態から、同一平面状に変形されたスタンド部３ａおよび連結部３ｂを図中のＸ１方向に回動することにより、薄型液晶テレビジョン１は、図１１に示す状態に変形される。このとき、図１３に示すように、表示部２のフック部２ｇの係合爪部２ｉと、スタンド部材３における連結部３ｂの凹部３ｈの抜止部３ｉとが係合されて、スタンド部材３は、表示部２に固定されることにより、薄型液晶テレビジョン１の第１形状（図１の状態）から第２形状（図８の状態）への変形動作が完了する。
【００２９】
また、薄型液晶テレビジョン１における第２形状から第１形状への変形動作は、上記した手順を逆に繰り返すことにより行われる。つまり、図１１および図１３の状態において、係合爪部２ｉと抜止部３ｉとが係合している状態から、フック部２ｇを下方向（図１３の矢印Ｚ方向）に撓ませることによって係合爪部２ｉが抜止部３ｉの傾斜面に沿って矢印Ｚ方向にスライド移動される。これにより、フック部２ｇおよび凹部３ｈの係合状態が解除されて、スタンド部材３の表示部２に対する固定状態が解除される。そして、図１５に示すように、スタンド部材３を図中の矢印Ｘ２方向に回動した後に、図１４に示すように、スタンド部３ａを矢印Ｙ２方向に回動させるとともに、スタンド部材３を矢印Ｘ２方向に回動させることにより、薄型液晶テレビジョン１の図５に示すような第１形状への変形が完了する。
【００３０】
本実施形態では、上記のように、スタンド部材３を、表示部２の下面を載置させることなく表示部２を回動可能に支持するように構成することによって、スタンド部材３により、表示部２の下面を載置させることなく表示部２の全体を支持することができるので、表示部２を載置面に対して垂直に保持することができる。また、スタンド部材３を、回動させた際に表示部２の上方側に突出された部分が把持部３ｇになるように構成することによって、ユーザは、把持部３ｇを持つことにより薄型液晶テレビジョン１を持ち運ぶことができるとともに、表示部２の上方側に突出した部分を把持部３ｇとするので、ユーザは、持ち運び時に容易に把持部３ｇを把持した状態で持ち運ぶことができる。また、図１６に示すように、表示部２の上方側に突出された把持部３ｇを、たとえば壁に設けられたフック部材１０などの突起形状の部材に係合することにより、ユーザは、薄型液晶テレビジョン１を壁に掛けた状態で使用することができる。
【００３１】
また、本実施形態では、上記のように、スタンド部材３を、表示部２を支持するスタンド部３ａと、表示部２とスタンド部３ａとを連結する連結部３ｂとを含むように構成するとともに、連結部３ｂを、一方端部側を表示部２に回動可能に取り付けるとともに他方端部側をスタンド部３ａに回動可能に取り付けるように構成し、スタンド部材３を、連結部３ｂにより連結された表示部２をスタンド部３ａにより支持する第１形状と、スタンド部３ａと連結部３ｂとが同一平面状になるとともに表示部２の背面に沿って配置される第２形状とに変形可能に構成することによって、表示部２およびスタンド部３ａを、それぞれ、連結部３ｂに回動可能に取り付けているので、表示部２に対して連結部３ｂを介してスタンド部３ａを回動することにより、薄型液晶テレビジョン１を、容易に第１形状または第２形状に変形させることができる。
【００３２】
また、本実施径庭では、上記のように、表示部２を、背面側にフック部２ｇを含むように構成するとともに、連結部３ｂを、表示部２のフック部２ｇに対応する凹部３ｈを含むように構成し、スタンド部材３を、第２形状により表示部２の背面に沿うように配置した際に、表示部２のフック部２ｇと連結部３ｂの凹部３ｈとを係合することにより表示部２の背面に固定するように構成することによって、フック部２ｇと凹部３ｈとを係合させることにより、スタンド部材３を把持部３ｇとして用いる際に、スタンド部材３を表示部２の背面に容易に固定することができるので、把持部３ｇを把持して持ち運ぶ際に、表示部２に対する把持部３ｇの位置が変動するのを抑制することができる。これにより、薄型液晶テレビジョン１をより持ち運びやすくすることができる。
【００３３】
また、本実施形態では、上記のように、スタンド部３ａを、平面的にみて、環状に形成することによって、薄型液晶テレビジョン１を第２形状に変形させた際に、表示部２の上方側に突出したスタンド部３ａの環状の一部が把持部３ｇとして機能するので、薄型液晶テレビジョン１をより容易に持ち運ぶことができる。
【００３４】
また、本実施形態では、上記のように、スタンド部３ａを、平面的にみて、表示部２の前面側および後面側から突出するように構成することによって、スタンド部３ａは、表示部２の前面側および後面側のいずれの面からも突出するような大きさに構成されているので、表示部２を安定して支持することができる。
【００３５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３６】
たとえば、本実施形態では、薄型表示装置の一例として薄型液晶テレビジョンを示したが、本発明はこれに限らず、薄型に形成された表示部を備えた表示装置であれば、薄型液晶テレビジョン以外の他の表示装置でも適用可能である。
【００３７】
また、本実施形態では、表示部の背面側に凸状の第１係合部（フック部）を形成するとともに、スタンド部材の連結部に凹状の第２係合部（凹部）を形成する例を示したが、本発明はこれに限らず、表示部の第１係合部を凹状に形成するとともに、連結部の第２係合部を凸状に形成してもよい。
【００３８】
また、本実施形態では、スタンド部材を表示部に固定する際に、表示部の第１係合部（フック部）と連結部の第２係合部（凹部）との１箇所の係合によって固定する例を示したが、本発明はこれに限らず、複数の係合部を設けるとともに、複数箇所の係合によりスタンド部材を表示部に固定してもよい。
【００３９】
また、本実施形態では、平面的に見て、スタンド部をリング形状（環状）に形成する例を示したが、本発明はこれに限らず、たとえば円板形状などのリング形状以外の形状であってもよい。この場合、スタンド部の第２形状時における表示部の上方に突出する部分には、取っ手となるような孔部などを設けた方がよい。
【００４０】
また、本実施形態では、平面的にみて、スタンド部を楕円形状に形成する例を示したが、本発明はこれに限らず、たとえば長方形状など、楕円形状以外の形状であってもよい。
【図面の簡単な説明】
【００４１】
【図１】本発明の一実施形態による薄型液晶テレビジョンの全体構成を示す斜視図である。
【図２】図１に示した本発明の一実施形態による薄型液晶テレビジョンの全体構成を示す斜視図である。
【図３】図１に示した本発明の一実施形態による薄型液晶テレビジョンの正面図である。
【図４】図１に示した本発明の一実施形態による薄型液晶テレビジョンの正面図である。
【図５】図１に示した本発明の一実施形態による薄型液晶テレビジョンの側面図である。
【図６】図１に示した本発明の一実施形態による薄型液晶テレビジョンを下側からみた平面図である。
【図７】図１に示した本発明の一実施形態による薄型液晶テレビジョンの平面図である。
【図８】図１に示した本発明の一実施形態による薄型液晶テレビジョンの第２形状に変形した状態の斜視図である。
【図９】図１に示した本発明の一実施形態による薄型液晶テレビジョンの第２形状に変形した状態の正面図である。
【図１０】図１に示した本発明の一実施形態による薄型液晶テレビジョンの第２形状に変形した状態の正面図である。
【図１１】図１に示した本発明の一実施形態による薄型液晶テレビジョンの第２形状に変形した状態の側面図である。
【図１２】図１に示した本発明の一実施形態による薄型液晶テレビジョンの第１形状および第２形状における構造の違いを説明するための側面図である。
【図１３】図１に示した本発明の一実施形態による薄型液晶テレビジョンの第１係合部および第２係合部が係合する状態を説明するための拡大断面図である。
【図１４】図１に示した本発明の一実施形態による薄型液晶テレビジョンにおける第１形状から第２形状への変形動作を説明するための側面図である。
【図１５】図１に示した本発明の一実施形態による薄型液晶テレビジョンにおける第１形状から第２形状への変形動作を説明するための側面図である。
【図１６】図１に示した本発明の位置実施形態による薄型液晶テレビジョンにおける効果を説明するための斜視図である。
【符号の説明】
【００４２】
１          薄型液晶テレビ（薄型表示装置）
２          表示部
２ｇ        フック部（第１係合部）
３          スタンド部材
３ａ        スタンド部
３ｂ        連結部
３ｇ        把持部
３ｈ        凹部（第２係合部）
【図１】
2009002989.tif 000003
【図２】
2009002989.tif 000004
【図３】
2009002989.tif 000005
【図４】
2009002989.tif 000006
【図５】
2009002989.tif 000007
【図６】
2009002989.tif 000008
【図７】
2009002989.tif 000009
【図８】
2009002989.tif 000010
【図９】
2009002989.tif 000011
【図１０】
2009002989.tif 000012
【図１１】
2009002989.tif 000013
【図１２】
2009002989.tif 000014
【図１３】
2009002989.tif 000015
【図１４】
2009002989.tif 000016
【図１５】
2009002989.tif 000017
【図１６】
2009002989.tif 000018